(57)【要約】【課題】送信する信号の所望品質に応じて該信号のピーク抑圧度を変化させて、送信アンプを高効率で動作させるようにする。【解決手段】ピーク抑圧閾値制御部２は、ベースバンド信号生成部１から（変調方式、符号化率）などの所望品質情報を入力する。そして、その所望品質情報を基に、ピーク抑圧部３の閾値を決定し、該閾値をピーク抑圧部３に出力する。ピーク抑圧部３は、ベースバンド信号生成部１から入力するベースバンド信号に対し、前記閾値に応じたピーク抑圧制御を実行する。そして、ピーク抑圧処理を施した信号（ピーク抑圧信号）を出力する。【選択図】図１
2008022230.tif 000002
【特許請求の範囲】
【請求項１】
送信アンプの入力信号のピーク電力を抑圧するピーク抑圧部のピーク抑圧度を制御するピーク抑圧制御装置であって、
前記ピーク抑圧部が抑圧する送信信号の所望品質情報に応じて、前記ピーク抑圧手段のピーク抑圧度を変更するピーク抑圧度制御手段を、
備えることを特徴とするピーク抑圧制御装置。
【請求項２】
請求項１記載のピーク抑圧度制御装置であって、
前記所望品質情報は、前記送信信号を生成する手段から通知されることを特徴とする。
【請求項３】
請求項１または２記載のピーク抑圧制御装置であって、
前記ピーク抑圧度制御手段は、
前記所望品質情報とそれに対応するピーク抑圧度が登録されている記憶手段と、
前記送信信号の所望品質情報を基に前記記憶手段を検索して、前記所望品質情報に対応するピーク抑圧度を求め、そのピーク抑圧度を前記ピーク抑圧部のピーク抑圧度に決定するピーク抑圧度決定手段と、
を備えることを特徴とする。
【請求項４】
請求項１記載のピーク抑圧度制御装置であって、
前記送信信号から前記所望品質を推定し、その推定した所望品質を基に、前記ピーク抑圧度を決定する品質情報推定手段を備えることを特徴とする。
【請求項５】
送信アンプの入力信号のピーク電力を抑圧するピーク抑圧部のピーク抑圧度を制御するピーク抑圧度装置であって、
前記ピーク抑圧部が抑圧する送信信号と、前記ピーク抑圧部が前記送信信号に対してピーク抑圧処理を施したピーク抑圧信号とを基に、該ピーク抑圧信号の信号品質を推定し、該信号品質が所定品質以上となるように、前記ピーク抑圧手段に設定するピーク抑圧度を決定する信号品質推定手段を、
備えることを特徴とする。
【請求項６】
請求項１記載のピーク抑圧度制御装置であって、
前記送信信号と、前記送信アンプから出力される前記ピーク抑圧信号のキャリア変調信号を復調した信号とを基に、前記送信アンプから出力される信号の信号品質を推定する信号品質推定手段を、
備えることを特徴とする。
【請求項７】
請求項６記載のピーク抑圧度制御装置であって、
さらに、
前記信号品質推定手段から出力停止信号が入力されている間は、前記ピーク抑圧手段から出力される前記ピーク抑圧信号の外部出力を停止する出力停止手段を備え、
前記信号品質推定手段は、前記ピーク抑圧信号の信号品質が所望品質に満たないと判断しているときは、前記出力停止手段に前記出力停止信号を出力することを特徴とする。
【請求項８】
請求項６記載のピーク抑圧度制御装置であって、
前記信号品質推定手段は、前記ピーク抑圧信号の信号品質が、常に、所望品質以上となるように、前記ピーク抑圧度を制御することを特徴とする。
【請求項９】
請求項１記載のピーク抑圧度制御装置であって、
前記ピーク抑圧部が抑圧する送信信号はマルチキャリア信号であり、
前記ピーク抑圧度制御手段は、
該マルチキャリア信号の各キャリア信号において、最も所望品質の厳しい所望品質が要求されている信号の所望品質に合わせて、前記ピーク抑圧度を変更することを特徴とする。
【請求項１０】
請求項９記載のピーク抑圧度制御装置であって、
前記ピーク抑圧度制御手段は、
前記マルチキャリア信号の各キャリア信号の所望品質情報に設定されている所望品質の中で最も高い品質を選択する最高品種選択手段と、
該最高品質選択手段によって選択された最高品質を基に、前記ピーク抑圧度を決定するピーク抑圧度決定手段と、
を備えることを特徴とする。
【発明の詳細な説明】
【技術分野】
【０００１】
本発明は送信アンプに係り、特に、該送信アンプの入力信号のピーク電力を抑圧するピーク抑圧部のピーク抑圧度を制御する装置に関する。
【背景技術】
【０００２】
次世代の移動体通信は、ＯＦＤＭ(Orthogonal Frequency Division Multiplexing)やＭＩＭＯ(Multiple Input Multiple Output)の採用が前提となっている。これらを採用する場合、ＲＦ(Radio Frequency)回路を低消費電力化する必要がある。ＲＦ回路は、アンテナ、電力増幅器、ＲＦフィルタ、Ａ−Ｄ変換機などの電子部品で構成されている。これらの電子部品の中で、特に、電力増幅器（以下、送信アンプ）の消費電力を低減することが重要である。
【０００３】
ディジタル無線通信方式においては、送信アンプに線形増幅が求められる。一般に、ピーク電力対平均電力比（ＰＡＰＲ：Peak-to-Average Power Ratio）が大きい信号では、高い線形性が必要とされる。
【０００４】
図２５は、送信アンプの入出力特性と信号のピーク関係を示す図である。同図の横軸は送信アンプの入力電力、縦軸は送信アンプの出力電力である。
同図の特性曲線１００１で示すように、送信アンプは、入力電力が大きくなるにつれ入力電力と出力電力の関係は線形から非線形となり増幅率が徐々に飽和するようになる。
【０００５】
同図の下側に示すように、ＰＡＰＲが大きい信号（図中の動作点１を平均電力とする信号）では、送信アンプのバックオフ電力を大きくとり、送信アンプを線形領域で動作させなければならないため、電力付加効率（ＰＡＥ）は大幅に低下してしまう。これに対し、ＰＡＰＲが小さい信号（図中の動作点２を平均電力とする信号）では、バックオフ電力を小さくできるため、送信アンプを高効率で動作させることができる。尚、動作点１、２は、それぞれ、ＰＡＰＲが大きい信号、ＰＡＰＲが小さい信号の平均電力である。また、ピーク電力は、各波形の最大振幅（最大入力電力）である。ここでは、バックオフ電力は、ピーク電力と平均入力電力の差を表す。
【０００６】
上記のようなＰＡＰＲの大きい信号を入力・増幅する送信アンプの効率低下を防止する方法として、例えば、図２６に示すような回路構成のピーク抑圧方式などが提案されている。このピーク抑圧方式では、Ｄ／Ａ変換部１1３０の前にピーク抑圧部１１２０を設け、このピーク抑圧部１１２０により、ディジタル信号発生部１１１０から出力される信号のピーク成分を抑圧するようにしている。ピーク抑圧部１１２０によってピーク成分が抑圧されたピーク抑圧信号は、Ｄ／Ａ変換部１1３０によってアナログ信号に変換され、続いて、ミキサ１１５０により局部発信器１1４０から出力される搬送波と乗算される。ミキサ１１５０によって生成された変調信号は送信アンプ１１６０により増幅され、アンテナ１１７０から電波として放射される。
【０００７】
図２７、２８に、上記ピーク抑圧部１１２０の従来の回路構成例を示す。図２７はクリップを用いた方式、図２８は窓関数を用いた方式である。
図２７のクリップ方式ピーク抑圧回路は、遅延部（Ｄｅｌａｙ）１１２１、振幅演算部１１２２、ピーク検出部１１２３、閾値／振幅部１１２４及び乗算器１１２５から構成される。この回路の動作を簡単に説明する。送信信号Ｓ（ｔ）は、遅延部１１２１と振幅演算部１１２２に入力する。振幅演算部１１２２は、送信信号Ｓ（ｔ）の振幅｜Ｓ（ｔ）｜を算出し、それをピーク検出部１１２３と閾値／振幅部１１２４に出力する。ピーク検出部１１２３は、送信信号Ｓ（ｔ）の振幅｜Ｓ（ｔ）｜のピーク（ピーク値）を検出すると、それを閾値／振幅部１１２４に通知する。
【０００８】
閾値／振幅部１１２４は、ピーク検出部１１２３からピーク検出の通知信号を入力すると、閾値／振幅部１１２４から入力する振幅｜Ｓ（ｔ）｜を閾値Ｖｔｈと比較し、その比較結果に応じて、下記の演算（１）または（２）を行い、送信信号Ｓ（ｔ）のピーク（最大振幅）をＶｔｈ以下に抑制する。
（１）Ｓ（ｔ）＝Ｓ（ｔ）  （|Ｓ（ｔ）|＜Ｖｔｈの場合）
（２）Ｓ（ｔ）＝Ｖｔｈ／｜Ｓ（ｔ）｜×Ｓ（ｔ）  （｜Ｓ（ｔ）｜＞Ｖｔｈの場合）
遅延部１１２１で遅延された送信信号Ｓ（ｔ）と閾値／振幅部１１２４から出力される振幅｜Ｓ（ｔ）｜は、乗算器１１２５によって乗算され、その乗算結果がピーク抑圧信号として出力される。
【０００９】
図２８の窓関数方式ピーク抑圧回路は、閾値／振幅部１１３４の代わりに窓関数生成部１１２７を設けた以外は、図２７のクリップ方式ピーク抑圧回路と同様な構成となっている。図２８において、図２７の回路の構成要素と同一の要素には同じ符号を付与している。
【００１０】
窓関数生成部１１４４は、ＦＦＴ(Fast Fourier Translation)やＦＩＲ(Finite Impulse Response)フィルタ作成で用いる窓関数（例えば、ハニング窓、ハミング窓、カイザー窓、ブラックマン窓など）を生成し、それを乗算器１１２５に出力する。乗算器１１２５は、遅延部１１３１を経由して入力する送信信号Ｓ（ｔ）に窓関数生成部１１２７から入力する窓関数を乗算し、該送信信号Ｓ（ｔ）を、その振幅｜Ｓ（ｔ）｜が閾値Ｖｔｈ以下となるように変換・出力する。
【００１１】
図２９に、元の送信信号、上記クリップ方式ピーク抑圧回路（以下、便宜上、クリップ方式と記載）の出力信号、及び上記窓関数方式ピーク抑圧回路（以下、便宜上、窓関数方式と記載）の出力信号を示す。同図において、実線の曲線１１５１が元の送信信号Ｓ（ｔ）であり、図中上部の破線の曲線１１５３が窓関数ピーク抑圧回路から出力される送信信号である。また、図中下部の破線の曲線１１５５が前記窓関数（抑圧窓関数）である。また、ａ＝Ｖｔｈ／｜Ｓ（ｔ）｜である。図２９に示すように、前記抑圧窓関数は、その値がａ〜１の範囲内で変動するように設定される。クリップ方式の場合、元の送信信号Ｓ（ｔ）において閾値Ｖｔｈを超える振幅成分は閾値Ｖｔｈとなるようにクリッピングされる。窓関数方式の場合、元の送信信号Ｓ（ｔ）が、その振幅が閾値Ｖｔｈを超えないように変換される。
【００１２】
図３０に、元の送信信号Ｓ（ｔ）にクリップ方式と窓関数方式を適用した場合のスペクトラムを示す。同図において、横軸が周波数、縦軸が電力（単位はｄＢ（デシベル））となっている。また、実線１１６１が元の送信信号Ｓ（ｔ）のスペクトラム、破線１１６２がクリップ方式による処理を施された送信信号Ｓ（ｔ）のスペクトラム、一点鎖線１１６３が窓関数方式による処理を施された送信信号Ｓ（ｔ）のスペクトラムを示す。
【００１３】
クリップ方式では、必要最小限の送信信号Ｓ（ｔ）だけが抑圧されるため、削られる信号が少なく受信特性の劣化が小さくなる。その一方で、抑圧の端が滑らかでないために高周波成分が発生し、図３０に示すように、スペクトラム特性が大きく劣化する。
【００１４】
窓関数方式では、抑圧の端を比較的滑らかにできるために、スペクトラム特性の劣化は
クリップ方式に比べて小さい。しかし、スペクトラム特性の劣化を抑制するためには、ある程度時間幅が長い窓関数を元の送信信号Ｓ（ｔ）に乗算しなければならないため、それだけ多くの信号が削られ、受信特性の劣化は大きくなる。
【００１５】
ところで、本発明との関連性は薄いが、送信アンプに関連する技術として、送信アンプに入力する信号の平均電力を制御する技術が知られている（特許文献１参照）。
【特許文献１】特開２００２−２１７８２８号公報
【発明の開示】
【発明が解決しようとする課題】
【００１６】
上記２つの方式は、送信側の簡易なディジタル信号処理で実現でき、受信側の再現処理は特に必要がないという特長がある。しかしながら、信号を削ってしまうため、ある程度、信号品質（受信品質、スペクトラム）の劣化を許容する必要がある。すなわち、クリップ方式では、受信特性の劣化を小さくできるが、スペクトラム特性の劣化が大きくなる。窓関数方式では、スペクトラム特性の劣化をクリップ方式よりも小さくできるが、受信特性の劣化が大きくなる。
【００１７】
どの程度の劣化を許容するかは、各システムまたは送りたい信号の要求によって決定される。例えば、ＩＥＥＥ８０２−１６ｅ(WiMAX)の規格においては、所望の信号品質によって、動的に、変調方式、符号化率を変えるＡＭＣ(Adaptive Modulating Coding)が採用されており、信号の受信時の歪を表すＥＶＭ(Error Vector Magnitude)が、図３１に示す表のように規定されている。
【００１８】
同図の表１１７０の各行は、「変調方式」、「符号化率」及び「（許容される）ＥＶＭ（％）」の３つの項目から構成されている。
符号化率は、情報ビットをｘビット、符号化により得られた送信ビットをｙビットとした場合、
符号化率＝ｘ／ｙ
で表される。
【００１９】
同図の表１１７０から、信号の変調方式や符号化率によって、許容されるＥＶＭの値が大きく異なることが分かる。従来のピーク抑圧方式は、ピーク抑圧度を固定的に決める必要があった。しかしながら、上記のような様々な信号に全て同じ抑圧度のピーク抑圧を適用し、全て同じバックオフで送信すると、最も規格の厳しい信号に合わせたピーク抑圧を行うしかない。このため、高い品質が必要ない信号でも、送信アンプを低い動作点で動作させなければならなくなる。これは、同じ送信アンプなら送信電力を抑えることになり、ある規定の電力を出そうとすると、より高価で大型なゲインに大きな送信アンプを使うことが必要となる。
【００２０】
本発明の目的は、送信アンプが、高効率で動作しながら、送信信号をその所望品質を満たすように増幅・出力できるように、前記送信アンプに入力する前記送信信号のピーク電力を抑圧することである。
【課題を解決するための手段】
【００２１】
本発明は、送信アンプの入力信号のピーク電力を抑圧するピーク抑圧部のピーク抑圧度を制御するピーク抑圧制御装置を前提とする。
本発明の第１態様は、前記ピーク抑圧部が抑圧する送信信号の所望品質情報に応じて、前記ピーク抑圧手段のピーク抑圧度を変更するピーク抑圧度制御手段を備えることを特徴とする。
【００２２】
本発明の第１態様によれば、ピーク抑圧を施す送信信号の所望品質に応じて、前記送信信号のピーク抑圧度を変更するので、前記送信信号にピーク抑圧を施した信号の品質が前記所望品質を満たされるようにしながら、送信アンプを高効率で動作させることができる。
本発明の第２態様は、前記第１態様において、前記所望品質情報は、前記送信信号を生成する手段から通知されることを特徴とする。
【００２３】
本発明の第２態様によれば、前記送信信号を生成する手段から通知される情報を利用して、前記第１態様の作用・効果を実現できる。
本発明の第３態様は、前記第１または第２態様において、前記ピーク抑圧度制御手段は、前記所望品質情報とそれに対応するピーク抑圧度が登録されている記憶手段と、前記送信信号の所望品質情報を基に前記記憶手段を検索して、前記所望品質情報に対応するピーク抑圧度を求め、そのピーク抑圧度を前記ピーク抑圧部のピーク抑圧度に決定するピーク抑圧度決定手段とを備えることを特徴とする。
【００２４】
本発明の第３態様によれば、前記第１または第２態様の作用・効果を実現する際に必要となる適切なピーク抑圧度を、記憶手段を検索して高速に取得することができる。
本発明の第４態様は、前記第１態様において、前記送信信号から前記所望品質を推定し、その推定した所望品質を基に、前記ピーク抑圧度を決定する品質情報推定手段を備えることを特徴とする。
【００２５】
本発明の第４態様によれば、前記送信信号だけを基にして前記ピーク抑圧度を決定できるので、前記第１態様の作用・効果を小さな規模の回路で実現できる。
本発明の第５態様は、前記ピーク抑圧部が抑圧する送信信号と、前記ピーク抑圧部が前記送信信号に対してピーク抑圧処理を施したピーク抑圧信号とを基に、該ピーク抑圧信号の信号品質を推定し、該信号品質が所定品質以上となるように、前記ピーク抑圧手段に設定するピーク抑圧度を決定する信号品質推定手段を備えることを特徴とする。
【００２６】
本発明の第５態様によれば、ピーク抑圧前の送信信号と、該送信信号に対してピーク抑圧を施した後の信号（ピーク抑圧信号）を基に、該ピーク抑圧信号の信号品質を推定するので、ピーク抑圧度を適切に設定しながら、前記第１態様の作用・効果を実現できる。
【００２７】
本発明の第６態様は、前記第１態様において、前記送信信号と、前記送信アンプから出力される前記ピーク抑圧信号のキャリア変調信号を復調した信号とを基に、前記送信アンプから出力される信号の信号品質を推定する信号品質推定手段を備えることを特徴とする。
【００２８】
本発明の第６態様によれば、ピーク抑圧前の送信信号と前記ピーク抑圧信号を増幅した送信アンプの出力信号を復調した信号を基に、前記送信アンプから出力される信号の品質を推定するので、該信号品質をより正確に推定できる。このため、前記第１態様の作用・効果を実現する際に、前記ピーク抑圧度をより適切に設定できる。
【００２９】
本発明の第７態様は、前記第６態様において、さらに、前記信号品質推定手段から出力停止信号が入力されている間は、前記ピーク抑圧手段から出力される前記ピーク抑圧信号の外部出力を停止する出力停止手段を備える。そして、前記信号品質推定手段は、前記ピーク抑圧信号の信号品質が所望品質に満たないと判断しているときは、前記出力停止手段に前記出力停止信号を出力することを特徴とする。
【００３０】
本発明の第７態様によれば、前記ピーク抑圧信号が所望品質を満たすようになるまで、前記ピーク抑圧信号の外部出力を停止できる。
本発明の第８態様は、前記第６態様において、前記信号品質推定手段は、前記ピーク抑圧信号の信号品質が、常に、所望品質以上となるように、前記ピーク抑圧度を制御することを特徴とする。
【００３１】
本発明の第８態様によれば、前記出力停止手段を設けずに、所望品質を満たすピーク抑圧信号のみを外部出力できる。したがって、前記第７態様と同様の機能を、前記第７態様よりも小さな規模の回路で実現できる。
【００３２】
本発明の第９態様は、前記第１態様において、前記ピーク抑圧部が抑圧する送信信号はマルチキャリア信号である。そして、前記ピーク抑圧度制御手段は、該マルチキャリア信号の各キャリア信号において、最も所望品質の厳しい所望品質が要求されている信号の所望品質に合わせて、前記ピーク抑圧度を変更することを特徴とする。
【００３３】
本発明の第９態様によれば、マルチキャリア信号についても、前記第１態様と同等な作用・効果を実現できる。
本発明の第１０態様は、前記第９態様において、前記ピーク抑圧度制御手段は、前記マルチキャリア信号の各キャリア信号の所望品質情報に設定されている所望品質の中で最も高い品質を選択する最高品種選択手段と、該最高品質選択手段によって選択された最高品質を基に、前記ピーク抑圧度を決定するピーク抑圧度決定手段とを備えることを特徴とする。
【００３４】
本発明の第１０態様によれば、最高品質選択手段とピーク抑圧度決定手段を設けることにより、前記第９態様の作用・効果を実現できる。
【発明の効果】
【００３５】
本発明によれば、送信したい信号（送信信号）の所望品質に応じて、送信アンプに入力する該信号のピーク電力の抑圧度を変更するように制御する。このため、前記送信アンプに入力する信号（前記送信信号にピーク抑圧を施した信号）のＰＡＰＲを小さくすることができる。したがって、前記送信アンプを高効率で動作させながら、前記送信信号を、前記所望品質を満たすように、前記送信アンプから増幅して出力することができる。
【発明を実施するための最良の形態】
【００３６】
以下、図面を参照しながら本発明の実施の形態について説明する。
［本発明の概要］
本発明は、送信したい信号の所望品質によって電力増幅器（以下、送信アンプ）のピーク抑圧度を変化させ、それぞれの信号に必要とされる信号品質を満たすように、送信アンプにピーク抑圧をかける。すなわち、所望品質が高い信号については、あまり強いピーク抑圧をかけずに高い品質を維持するようにする。また、所望品質が低い信号については、強くピーク抑圧をかけて動作点を上げることで送信電力を大きくするか、または、送信アンプのバックオフを小さくする。この結果、送信アンプを高効率で動作させることができる。
【００３７】
［実施例１］
本実施例では、 ベースバンド信号生成部から所望品質情報を得ることによって、送信信号のピーク抑圧度を変更させる。
【００３８】
図１は、本発明の実施例１の構成を示すブロック図である。
実施例１は、ベースバンド信号生成部（ＢＢ信号生成部）１、ピーク抑圧閾値制御部２及びピーク抑圧部３から構成される。ベースバンド信号生成部１は、通話時の音声信号や各種データを無線伝送に適したベースバンド信号に変換し、それをピーク抑圧部３に出力する。ベースバンド信号生成部１は、ピーク抑圧部にベースバンド信号を出力する際、そのベースバンド信号に関する情報（変調方式と符号化率）をピーク抑圧閾値制御部２に出力する。
【００３９】
ピーク抑圧閾値制御部２は、ベースバンド信号生成部１から入力する情報に基づき、ピーク抑圧方式において信号のピーク抑圧度を決定するために使用される閾値を設定し、その閾値をピーク抑圧部３に出力する。ピーク抑圧部３は、ピーク抑圧閾値制御部２から入力される閾値を基に、ベースバンド信号生成部１から入力されるベースバンド信号のピーク成分を抑圧する。ピーク抑圧部３は、ピーク成分を抑圧したベースバンド信号（ピーク抑圧信号）を出力する。
【００４０】
ピーク抑圧閾値制御部２は、例えば、図２に示す変換テーブル２１を備え、このテーブル２１を検索して、ベースバンド信号生成部１から受け取る（変調方式、符号化率）の組に対応する閾値を読み出す。そして、その閾値をピーク抑圧部３に出力する。
【００４１】
前記変換テーブル２１の各エントリには、入力項目２１aと出力項目２１ｂから構成されるレコードが登録されている。入力項目２１aは、「変調方式」と「符号化率」の組である。出力項目２１ｂは「閾値」である。変換テーブル２１の入力項目２１ａには、変調方式として、ＱＰＳＫ(Quadrature Phase Shift Keying),１６QAM(Quadrature Amplitude Modulation)、６４QAMが登録されており、それらの各変調方式が、複数の符号化率に分類されて登録されている。例えば、ＱＰＳＫの場合、符号化率として“１／２”と“３／４”の２種類が登録されており、同一レコードの出力項目２１ｂに、各符号化率に対応する閾値が登録されている。符号化率が１／２の場合の閾値はＶｔｈ（１）、３／４の場合の閾値はＶｔｈ（２）となっている。
【００４２】
ピーク抑圧部３は、上述した図２９に示すクリップ方式により、ベースバンド信号生成部１から入力されるベースバンド信号の振幅がピーク抑圧閾値制御部２から入力される閾値（ピーク抑圧閾値）を超える場合、その振幅を該閾値に抑圧する。
【００４３】
［実施例２］
実施例１では、ベースバンド信号生成部１から信号の品質情報を得るようにしていた。実施例２では、ベースバンド信号生成部１で生成されたベースバンド信号から信号品質を推定し、その信号品質を基にピーク抑圧度を決定する。
【００４４】
図３は、本発明の実施例２の構成を示すブロック図である。同図において、図１の実施例１の構成要素と同一の構成要素には同じ符号を付与している。
実施例２は、ベースバンド信号生成部１、ピーク抑圧部３、信号復調部３０、品質情報推定部４０及びピーク抑圧閾値決定部５０から構成される。
【００４５】
信号復調部３０は、ベースバンド信号生成部１から入力されるベースバンド信号を、信号の品質情報が抽出できる信号に変換する。例えば、ベースバンド信号がＯＦＤＭ(Orthogonal Frequency Division Multiple Access)方式で変調された信号であれば、そのベースバンド信号をＦＦＴによって周波数軸の信号（複素シンボル）に戻す処理を行う。
【００４６】
品質情報推定部４０は、例えば、ＡＭＣ(Adaptive Modulation and Coding)を適用したベースバンド信号である場合、信号の実数成分（同相成分）と虚数成分（直交成分）のコンスタレーション(constellation)を求め、そのコンスタレーションから変調方式を推定する。上記方法以外にも、信号中に含まれる制御信号から、品質情報を抽出するような構成も考えられる。
【００４７】
ピーク抑圧閾値決定部５０は、品質情報推定部４０から入力される変調方式情報を基に、閾値を決定する。そして、その閾値をピーク抑圧部３に出力する。
｛信号復調部３０の構成例｝
図４は、信号復調部３０の構成例を示すブロック図である。
【００４８】
同図は、ＯＦＤＭ方式で変調されたベースバンド信号を復調する信号復調部３０の構成図である。この信号復調部３０は、ＧＩ(Guard Interval)除去器３１、Ｓ／Ｐ変換器（シリアル／パラレル変換部）３２、ＦＦＴ器３３及びＰ／Ｓ変換器３４から構成されている。
【００４９】
ＧＩ除去器３１はＯＦＤＭ方式で変調されたベースバンドＯＦＤＭ信号（以下、ＯＦＤＭ信号）からＧＩ（ガードインターバル）を除去し、ＧＩが削除されたＯＦＤＭ信号をＳ／Ｐ変換器３２に出力する。Ｓ／Ｐ変換器３２は、入力するＯＦＤＭ信号をシリアル／パラレル変換して、異なるサブキャリア（搬送波）で変調されたＮ個（Ｎは自然数）の標本値に分割し、それらをＦＦＴ器３３に出力する。ＦＦＴ器３３は、Ｓ／Ｐ変換器３２から入力される各標本値に対してフーリエ変換を施し、Ｎ個の複素シンボルを抽出する。Ｐ／Ｓ変換器３４は、ＦＦＴ器３３から入力されるＮ個の複素シンボルをパラレル／シリアル変換して複素シンボル列を復元し、それを品質情報推定部４０に出力する。
【００５０】
｛品質情報推定部４０｝
（１）構成
図５は、各種信号変調方式の信号のコンスタレーションを示す。
同図において、（ａ）はＢＰＳＫ、（ｂ）はＱＰＳＫ、（ｃ）は８ＰＳＫ、（ｄ）は１６ＱＡＭのコンスタレーションを示している。同図（ａ）〜（ｄ）において、横軸は同相成分（Ｉ成分）、縦軸は直交成分（Ｑ成分）である。したがって、図５（ａ）〜（ｄ）の信号点（図中に●）の位置は、Ｉ−Ｑ複素平面上の座標（Ｉ、Ｑ）で表される。
【００５１】
品質情報推定部４０は、信号復調部３０から入力される複素シンボル列に含まれる各シンボルのＩ成分とＱ成分を抽出する。そして、信号点（Ｉ，Ｑ）の配置構成を基に、前記ベースバンド信号の変調方式を推定する。すなわち、信号点（Ｉ，Ｑ）の配置構成が、図５（ａ）〜（ｄ）のいずれに対応しているか調べ、その配置構成に一致する変調方式を求める。
【００５２】
（動作）
図６は、品質情報推定部４０が入力信号の変調方式を推定する処理を示すフローチャートである。同図のフローチャートでは、信号のＩ成分の振幅を「ｉ」、信号のＱ成分の振幅を「ｑ」で表現している。下記に、同フローチャートで使用されているその他の変数や固定値の機能を示す。
【００５３】
ｎ                ：変数
a(n)              ：Ｉ軸の信号の振幅候補
b(n)              ：Ｑ軸の信号の振幅候補
count_ｉ(n)       ：ｉの値がa(n)であると判断された回数
count_ｑ(n)       ：ｑの値がa(n)であると判断された回数
Ｎｉ              ：count_ｉ中の非０の項数
Ｎｑ              ：count_ｑ中の非０の項数
ε                ：誤差（極めて小さな値）
本実施例では、count_ｉは、count_ｉ(0)〜count_ｉ(4)の５項から成る。Count_ｑは、count_ｑ(0)〜count_ｑ(4)の５項から成る。したがって、ＮｉはＩ成分の取り得る値の数、ＮｑはＱ成分の取り得る値の数となる。
【００５４】
図６のフローチャートについて説明する。
品質情報推定部４０は、入力信号の１シンボルの波形信号（ｉ，ｑ）を入力する（Ｓ１１）。ステップＳ１１では、入力信号の先頭シンボルから順に、シンボル単位で波形信号を入力する。続いて、ｎを“０”に初期設定する（Ｓ１２）。
【００５５】
次に、｜ｉ−a(n)｜＜εであるか判断し（Ｓ１３）、｜ｉ−a(n)｜＜εであればステップＳ１４に移行し、｜ｉ−a(n)｜＜εでなければステップＳ１５に移行する。ステップＳ１３の処理は、ｉ＝a(n)であるか否かを判断する処理であり、εは非常に小さな値なので、｜ｉ−a(n)｜＜εであれば、ｉ＝a(n)とみなすことができる。この判断は、ｉの値の誤差を考慮したものである。
【００５６】
ステップＳ１４では、count_ｉ(n)の値を１つインクリメントする。ステップＳ１４の処理を終了すると、ステップＳ１５に移行する。
ステップＳ１３〜Ｓ１４の処理は、入力信号の同相成分の振幅中にa(n)に等しいがあるか判断する処理である。
【００５７】
ステップＳ１５では、｜ｑ−b(n)｜＜εであるか判断する。そして、｜q−b(n)｜＜εであればステップＳ１６に移行し、｜q−b(n)｜でなければステップＳ１７に移行する。ステップＳ１６では、count_q(n)の値を１つインクリメントし、ステップＳ１７に移行する。ステップＳ１６の処理により、入力信号の同相成分にa(n)に等しい。
【００５８】
ステップＳ１５〜Ｓ１６の処理は、入力信号の直交成分の振幅中にb(n)に等しいものがあるか判断する処理である。
ステップＳ１７では、ｎの値が最大値（本実施例の場合は“５”）に等しいか否か判断し、等しくなければステップＳ１８に移行し、等しければステップＳ１９に移行する。ステップＳ１８では、ｎの値を１つインクリメントする。
【００５９】
このようにして、ステップＳ１３〜Ｓ１８の処理が、ステップＳ１８で、ｎの値が最大値（本実施例では“４”）に等しいと判断されるまで繰り返される。以上の処理により、１シンボル波形信号の同相成分ｉの値と直交成分ｑの値について、ｉの値がa(0)〜a(4)のいずれに等しいか、ｑの値がb(0)〜b(4)のいずれに等しいか調べる。そして、等しい値に対応するcount_ｉ(k)またはcount_ｑ(k)の値が１つインクリメントされる。ここで、ｋは０〜４の中のいずれか一つの番号である。
【００６０】
ステップＳ１７で、ｎが最大値に等しいと判断すると、次に、ステップＳ１９で、入力信号が終了したか判断する。そして、終了していなければステップＳ１１に戻り、終了していればステップＳ２０に進む。
【００６１】
このようにして、ステップＳ１１〜Ｓ１９の処理が、入力信号の全シンボルの波形信号（ｉ，ｑ）について行われる。この結果、ステップＳ１９で入力信号が終了したと判断された時点で、入力信号のコンスタレーションを判断するために必要な情報が、count_ｉ(｛count_ｉ(0)、count_ｉ(1)、count_ｉ(2)、count_ｉ(3)、count_ｉ(4)｝)とcount_ｉ(｛count_q(0)、count_q(1)、count_q(2)、count_q(3)、count_q(4)｝)に格納される。
【００６２】
ステップＳ２０では、count_ｉ(0)〜count_ｉ(4)の値を調べ、Ｎｉの値を求める。Ｎｉは、count_ｉ(0)〜count_ｉ(4)の５項の中で値が“０”でない項の数である。続いて、count_ｑ(0)〜count_ｑ(4)の値を調べ、Ｎｑの値を求める（Ｓ２１）。Ｎｑは、count_q(0)〜count_q(4)の５項の中で値が“０”でない項の数である。
【００６３】
そして、ＮｉとＮｑの値を基に、図７に示すテーブル４１を検索して、入力信号の変調方式を推定し（Ｓ２２）、その推定した変調方式をピーク抑圧閾値決定部５０に出力し（Ｓ２３）、本フローチャートの処理を終了する。
【００６４】
ここで、品質情報推定部４０が備える前記テーブル４１の構成について説明する。テーブル４１の各行は、「Ｎｉ」、「Ｎｑ」及び「変調方式」の３項目から構成されており、ＮｉとＮｑの値は、同一行に登録されている変調方式に対応する値となっている。テーブル４１の１行目には「ＢＰＳＫ」、2行目には「ＱＰＳＫ」、3行目には「８ＰＳＫ」、4行目には「１６ＱＡＭ」の各変調方式が、それに対応する「Ｎｉ」と「Ｎｑ」と共に登録されている。このため、品質情報推定部４０は、ステップＳ２２で、ＮｉとＮｑの組をキーとしてテーブル４１を検索することにより、入力信号の変調方式を推定できる。
【００６５】
［実施例３］
実施例３では、ベースバンド信号生成部１から出力されるベースバンド信号とピーク抑圧部３から出力される該ベースバンド信号にピーク抑圧処理を施した信号から信号品質を推定し、それに基づいてピーク抑圧部３に出力する閾値（ピーク抑圧部閾値）を設定する。前記信号品質として、例えば、ＢＥＲ(Bit Error Rate)、ＥＶＭ(Error Vector Magnitude)、「ピーク抑圧による信号電力の減衰量」（以下では、信号電力減衰量と簡略化して記載）などを使用する。
【００６６】
変調方式などのように品質情報が直接分かる場合と異なり、ピーク抑圧部３で劣化する信号品質を推定する場合には、ピーク抑圧部３で一度ピーク抑圧を行って信号品質を推定し、その推定結果を基に閾値を設定するという処理の繰り返しが必要となる。
【００６７】
{第1の構成}
第１の構成は、推定品質＞所望品質を満足する最大の閾値でピーク抑圧を行う。このため、送信アンプの入力信号のピーク電力を小さくでき、ＡＣＰＲ（隣接チャネル漏洩電力）を低減できる。
【００６８】
図８は、実施例３の第１の構成を示すブロック図である。図8において、図1の構成要素と同じ構成要素には同一の符号を付与している。
実施例３は、ベースバンド信号生成部１、ピーク抑圧部３、信号品質推定部１１０及び出力停止部１２０から構成されている。
【００６９】
信号品質推定部１１０は、ベースバンド信号生成部１からベースバンド信号（ピーク抑圧前信号）を入力し、ピーク抑圧部３から該ベースバンド信号に対してピーク抑圧処理が施された信号（ピーク抑圧後信号）を入力する。信号品質推定部１１０は、上記２つの信号を基にして、ピーク抑圧部３で劣化された前記ベースバンド信号の信号品質を推定する。そして、その推定した信号品質（推定品質）と所望品質を比較して、ピーク抑圧部３から出力されるピーク抑圧信号が所望品質以上となるピーク抑圧部３の閾値を求める。信号品質推定部１１０は、該閾値が求まると、それをピーク抑圧部３に出力すると共に、出力停止部１２０への出力停止信号の出力を停止する。
【００７０】
出力停止部１２０は、信号品質推定部１１０から出力停止信号が入力されている間、ピーク抑圧部３から入力される信号（ピーク抑圧信号）の出力を停止する。そして、該出力停止信号の入力が止まると、ピーク抑圧部３から入力されるピーク抑圧信号を外部に出力する。
【００７１】
｛第１の構成における第1の動作｝
図９は、図8の信号品質推定部１１０の閾値設定動作を説明するフローチャートである。
【００７２】
信号品質推定部１１０は、このフローチャートに処理を開始する前に、出力停止部１２０に出力停止信号を出力し、出力停止部１２０の出力を停止させる。
上記のようにして、出力停止部１２０の出力を停止させた後、信号品質推定部１１０は、閾値を予め定めた最小値に設定し、その閾値をピーク抑圧部３に出力する（Ｓ３１）。ピーク抑圧部３は、該閾値を基に、ベースバンド信号生成部１から入力するベースバンド信号のピーク成分を抑圧する。そして、そのピーク成分を抑圧したベースバンド信号（前記ピーク抑圧信号）を信号品質推定部１１０と出力停止部１２０に出力する（Ｓ３２）。
【００７３】
信号品質推定部１１０は、ベースバンド信号生成部１から入力するピーク抑圧前のベースバンド信号（前記ピーク抑圧前信号）とピーク抑圧部３から入力する前記ピーク抑圧後信号を基に、前記ピーク抑圧後信号の信号品質を推定する（Ｓ３３）。信号品質推定部１１０は、続いて、ステップＳ３３で得られた前記ピーク抑圧後信号の推定品質（以下、推定品質と記載）と予め定められたピーク抑圧後信号の所望品質（以下、所望品質と記載）とを比較し、推定品質＞所望品質であるか判断する（Ｓ３４）。そして、推定品質＞所望品質でなければステップＳ３５に移行し、推定品質＞所望品質であればステップ３６に移行する。
【００７４】
信号品質推定部１１０は、ステップＳ３５において、閾値を大きくし、その増加した閾値をピーク抑圧部３に出力する。そして、処理をステップＳ３２に戻す。
ステップＳ３２〜Ｓ３５の処理は、ステップＳ３４において、信号品質推定部１１０が推定品質＞信号品質であると判断するまで繰り返される。そして、信号品質推定部１１０は、ステップＳ３４において推定品質＞信号品質であると判断すると、現在、ピーク抑圧部３に設定されている閾値を、ピーク抑圧用の閾値に決定し、出力停止部１２０への出力出力停止信号の出力を停止する（Ｓ３６）。これにより、出力停止部１２０は、ピーク抑圧部３から入力されるピーク抑圧信号の出力停止を解除し、該ピーク抑圧信号を外部に出力する。
【００７５】
このように、第１の構成では、ベースバンド信号生成部１から出力されるベースバンド信号に対するピーク抑圧を小さく設定するので、送信アンプから出力される信号の品質を高めることができる。
【００７６】
｛第１の構成における第2の動作｝
上記第1の動作では、閾値決定までに時間がかかりすぎて、ピーク抑圧信号の出力が遅れる場合がある。そこで、信号品質推定部１１０が閾値を決定するまでに要する時間に制限を課して、所定時間以内にピーク抑圧信号を出力することを保証する。
【００７７】
図１０は、上記の考えに基づき、図９の処理を、信号品質推定部１１０の閾値決定に時間制限を設けるように変形した処理を示すフローチャートである。この処理を行う信号品質推定部１１０は、その内部に、処理経過時間を計時するためのタイマー（不図示）を備える。
【００７８】
信号品質推定部１１０は、出力停止部１２０に出力停止信号を出力した後、ピーク抑圧部３に設定する閾値を最小値に初期化し、その閾値をピーク抑圧部３に出力する（Ｓ４１）。続いて、タイマーをリセットし、タイマーの計時を開始させる（Ｓ４２）。
【００７９】
ピーク抑圧部３は、信号品質推定部１１０から入力する閾値を基に、ベースバンド信号生成部１から入力するベースバンド信号にピーク抑圧処理を施し、ピーク抑圧信号を信号品質推定部１１０と出力停止部１２０に出力する（Ｓ４３）。信号品質推定部１１０は、図９のステップＳ３３、Ｓ３４と同様にして、信号品質を推定し（Ｓ４４）、推定品質＞所望品質であるか判断する（Ｓ４５）。
【００８０】
信号品質推定部１１０は、ステップ４５で、推定品質＞所望品質でないと判断するとステップ４６に移行し、推定品質＞所望品質であると判断するとステップＳ４７に移行する。
【００８１】
ステップ４６で、信号品質推定部１１０は、タイマーの計時時間をチェックし、その計時時間が予め定められた制限時間内であるか判断する。そして、制限時間内であれば、閾値を大きくし、その閾値をピーク抑圧部３に出力する（Ｓ４７）。ステップ４７の処理が終了すると、処理はステップＳ４３に戻る。
【００８２】
このようにして、推定品質＞所望品質でなく、かつ、閾値決定処理時間が制限時間内である間、ステップ４３〜Ｓ４７の処理が繰り返される。そして、ステップ４５で、信号品質推定部１１０により、推定品質＞所望品質であると判断されるか、ステップ４６で、信号品質推定部１１０により、閾値決定処理時間が制限時間を超えていると判断された場合には、上記繰り返し処理を終了する。
【００８３】
信号品質推定部１１０は、ステップ４６で、タイマーの計時時間が閾値決定処理時間の制限時間を超えていると判断すると、閾値を十分に大きくし（Ｓ４８）、その閾値を最終的な閾値として決定し、ピーク抑圧部３に出力すると共に、出力停止部１２０に出力していた出力停止信号を停止する（Ｓ４９）。
【００８４】
ステップ４８では、推定品質＞所望品質となるように閾値を設定する。これは、例えば、事前に、推定品質＞所望品質となるようなピーク抑圧部３の閾値を調べておくことにより可能である。
【００８５】
一方、信号品質推定部１１０は、ステップ４５で、推定品質＞所望品質であると判断すると、上述したステップ４９の処理を行う。
このようにして、信号品質推定部１１０は、所定の制限時間以内に、ピーク抑圧部３の出力するピーク抑圧信号が所望品質を満たすような閾値を決定することができる。
【００８６】
｛第２の構成｝
第２の構成は、送信アンプの出力信号が、常に、推定品質＞所望品質を満足するように、ピーク抑圧を制御する。この際、最初は該閾値を十分な大きな値とし、該閾値を段階的に徐々に小さくしていき、推定品質＞所望品質が満足される最小の閾値を求める。このため、送信アンプの入力信号のＰＡＰＲを小さくできるので、送信アンプを高効率で動作させることが可能となる。
【００８７】
図１１は、実施例３の第２の構成を示すブロック図である。同図において、図１の構成要素と同じ構成要素には同じ符号を付与している。第２の構成は、前記第１の構成から出力停止部１２０を省いた構成となっている。
【００８８】
第２の構成においては、信号品質推定部１３０は、ピーク抑圧部３の出力するピーク抑圧信号が、常に、推定品質＞所望品質を満足するように、ピーク抑圧部３に出力する閾値を制御する。この際、最初は該閾値を十分な大きな値とし、該閾値を段階的に徐々に小さくしていき、推定品質＞所望品質が満足される最小の閾値を求める。このため、送信アンプを高い電力効率で動作させることが可能となる。
【００８９】
このため、第１の構成では必要であった出力停止部１２０を省略できる。
｛第２の構成の動作｝
図１２は、第２の構成の動作を示すフローチャートである。
【００９０】
信号品質推定部１３０は、閾値を予め定められた最大値に初期化し、その閾値をピーク抑圧部３に出力する（Ｓ６１）。このステップ６１で、閾値として設定する最大値は、前記ピーク抑圧後信号の品質（推定品質）が（所望品質+α）よりも十分大きくなるような値である。ピーク抑圧部３は、該閾値を基に、ベースバンド信号生成部１から入力するベースバンド信号にピーク抑圧処理を施す。そして、ピーク抑圧信号を信号品質推定部１３０に出力すると共に、外部に出力する（Ｓ６２）。
【００９１】
信号品質推定部１３０は、ベースバンド信号生成部１から入力するピーク抑圧前信号とピーク抑圧部３から入力するピーク抑圧後信号を基に、信号品質を推定する（Ｓ６３）。そして、推定品質＜所望品質＋αであるか判断する（Ｓ６４）。ここで、αは定数であり、推定品質＜所望品質＋αと判断された場合でも、推定品質が所望品質以上であることが保証される適切な値である。つまり、最初に推定品質＜所望品質＋αと判断された時点では、送信アンプから出力される送信信号の品質は所望品質を満足している。
【００９２】
信号品質推定部１３０は、ステップＳ６３で、推定品質＜所望品質＋αでないと判断すると、閾値を小さくし、その閾値をピーク抑圧部３に出力する（Ｓ６５）。この後、処理はステップＳ６２に戻る。
【００９３】
このようにして、ステップＳ６２〜Ｓ６５の処理は、ステップ６４で、推定品質＜所望品質＋αと判断されるまで繰り返される。そして、ステップ６４で、推定品質＜所望品質＋αと判断すると、現在、ピーク抑圧部３に設定されている閾値を最終的な閾値として決定し、閾値の制御を終了する（Ｓ６６）。
【００９４】
以後、ピーク抑圧部３は、ベースバンド信号生成部１から入力するベースバンド信号のピーク成分を、送信アンプの出力信号の品質が所望品質を満足する最小値程度まで強く抑圧する。この結果、ＰＡＰＲは小さくなるので、送信アンプの動作点を上げて送信電力を大きくできる。また、送信アンプのバックオフを小さくして、送信アンプを高効率で動作させることができる。
【００９５】
｛信号品質推定部の第１実施例｝
信号品質推定部（図８の信号品質推定部１１０または図１１の信号品質推定部１３０）の第１実施例は、信号品質としてＢＥＲを用い、ＢＥＲが所望品質を満たすようにピーク抑圧部３に設定する閾値を決定する。
【００９６】
図１３は、前記信号品質推定部内に設けられるＢＥＲ算出部の回路構成を示すブロック図である。このＢＥＲ算出部２００は、図９のステップＳ３３、図１０のステップＳ４４及び図１２のステップＳ６３の処理を担当する回路である。
【００９７】
ＢＥＲ推定値算出部２００は、信号復調部２０１（第１の信号復調部）、信号復調部２０２（第２の信号復調部）、復号部２１１（第１の復号部）、復号部２１２（第２の復号部）、比較部２２０及びＢＥＲ計算部２３０を備えている。
【００９８】
信号復調部２０１は、ピーク抑圧部３からピーク抑圧信号を入力し、その信号を復調する。そして、その復調により得られた送信信号srecを復号部２１１に出力する。信号復調部２０２は、ベースバンド信号生成部１からピーク抑圧前信号（ベースバンド信号）を入力し、その信号を復調する。そして、その復調により得られた送信信号srefを復号部２１２に出力する。
【００９９】
復号部２１１は、信号復調部２０１から入力する信号srecに対して誤り訂正処理を施すなどして、送信データ（ビット列の信号）を復号する。そして、そのビット列のデータ（第１のビット列データ）を比較部２２０に出力する。復号部２１２は、信号復調部２０２から入力する信号srefに対して誤り訂正処理を施すなどして、送信データ（ビット列の信号）を復号する。そして、そのビット列のデータ（第２のビット列データ）を比較部２２０に出力する。
【０１００】
比較部２２０は、第１のビット列データと第２のビット列データの対応するビット同士を比較し、各ビットの比較結果をＢＥＲ計算部２３０に出力する。該比較結果は、比較したビットが一致するか否かを示す信号である。ＢＥＲ計算部２３０は、比較部２２０から前記比較結果を全て入力すると、ピーク抑圧部３に起因する送信信号のＢＥＲを計算する。そして、そのＢＥＲをＢＥＲ推定値（信号品質）として出力する。ここで、ＢＥＲは、
ＢＥＲ＝エラービット数／送信ビット数
で表される。
【０１０１】
｛信号品質推定部の第２実施例｝
信号品質推定部の第２実施例は、信号品質としてＥＶＭを用い、ＥＶＭが所望品質を満たすようにピーク抑圧部３に設定する閾値を決定する。
【０１０２】
ＥＶＭは、下記の式で表される。この式のＥＶＭの単位は％である。
【０１０３】
【数１】
2008022230.tif 000003
【０１０４】
sref(i)：ピーク抑圧前信号
srec(i)：ピーク抑圧信号
図１４は、信号品質推定部内に設けられるＥＶＭ推定値算出部の回路構成を示すブロック図である。このＥＶＭ推定値算出部３００は、図９のステップＳ３３、図１０のステップＳ４４及び図１２のステップＳ６３の処理を担当する回路である。
【０１０５】
ＥＶＭ推定値算出部３００は、信号復調部３０１（第１の信号復調部）、信号復調部４０２（第２の信号復調部）及びＥＶＭ計算部３１０から構成される。
信号復調部３０１、３０２は、それぞれ、図１２の信号復調部２０１、２０２と同様な回路である。信号復調部３０１はピーク抑圧信号を復調して、その復調により得られた送信信号srec(i)をＥＶＭ計算部３１０に出力する。信号復調部３０２は、ピーク抑圧前信号を復調して、その復調により得られた送信信号sref(i)をＥＶＭ計算部３１０に出力する。ＥＶＭ計算部３１０は、前記式（１）によりＥＶＭを計算し、その計算結果を推定ＥＶＭ（信号品質）として出力する。
【０１０６】
{信号品質推定部の第３実施例｝
信号品質推定部（図８の信号品質推定部１１０または図１１の信号品質推定部１３０）の第３実施例は、信号品質として電力差を用い、電力差が所望品質を満たすようにピーク抑圧部３に設定する閾値を決定する。
【０１０７】
図１５は、信号品質推定部内に設けられる電力差算出部の回路構成を示すブロック図である。この電力差算出部４００は、図９のステップＳ３３、図１０のステップＳ４４及び図１２のステップＳ６３の処理を担当する回路である。
【０１０８】
電力差算出部４００は、電力計算部４０１（第１の電力計算部）、電力計算部４０２（第２の電力計算部）、差分器４１０及び電力差積算部４２０を備えている。
電力計算部４０１は、ピーク抑圧信号の電力を所定のサンプリング周期で計算する。電力計算部４０２は、ピーク抑圧前信号の電力を電力計算部４０１と同様のサンプリング周期で計算する。差分器４１０は、電力計算部４０１と電力計算部４０２で計算された同一サンプリング時刻の電力の差分（本実施例では、電力計算部４０２で計算された電力から電力計算部４０１で計算された電力を減算した値）を算出し、その算出結果を電力差積算部４２０に出力する。電力差積算部４２０は、差分器４１０で算出された全ての電力差を積算し、その積算結果を電力差（信号品質）として出力する。
【０１０９】
［実施例４］
実施例３では、ピーク抑圧処理に起因する信号品質の劣化だけを推定したが、品質、特にスペクトラム特性は、送信アンプの非線形性歪によっても大きく変化する。実施例４では、この点を考慮し、送信アンプの出力をフィードバックして信号品質の推定する。
【０１１０】
図１６は、実施例４の回路構成を示すブロック図である。同図において、図１の構成要素と同一の構成要素には同じ符号を付与している。
実施例４は、ベースバンド信号生成部１、ピーク抑圧部３、Ｄ／Ａ変換器（ディジタル／アナログ変換器）５０１、ミキサ５１１（第１のミキサ）、局部発信器５２１（第１の局部発信器）、送信アンプ５３０、ミキサ５１２（第２のミキサ）、局部発信器５２２（第２の局部発信器）、Ａ／Ｄ変換器（アナログ／ディジタル変換器）５４１、信号品質推定部５５０及びアンテナ５６０を備えている。
【０１１１】
Ｄ／Ａ変換器５０１は、ピーク抑圧部３から出力されるディジタルのベースバンド信号（第１のディジタルベースバンド信号）をアナログのベースバンド信号（第１のアナログベースバンド信号）に変換し、それをミキサ５１１に出力する。ミキサ５１１は、該アナログベースバンド信号と局部発信器５２１から出力される搬送波（第１の搬送波）を乗算し、該乗算により得られたＲＦ(Radio Frequency)信号を送信アンプ５３０に出力する。送信アンプ５３０は、該ＲＦ信号をアンテナ５６０に出力すると共に、ミキサ５１２に出力する。アンテナ５６０は、該ＲＦ信号を電波として外部空間に出力する。
【０１１２】
ミキサ５１２は、前記ＲＦ信号と局部発信器５２２から出力される第１の搬送波と同一の周波数の搬送波（第２の搬送波）を乗算し、該乗算により得られたアナログのベースバンド信号（第２のアナログベースバンド信号）をＡ／Ｄ変換器（アナログ／ディジタル変換器）５４１に出力する。Ａ／Ｄ変換器５４１は、該第２のアナログベースバンド信号をディジタルのベースバンド信号（第２のディジタルベースバンド信号）を信号品質推定部５５０に出力する。
【０１１３】
信号品質推定部５５０は、ベースバンド信号生成部１から前記第１のディジタルベースバンド信号（ピーク抑圧前信号）を入力すると共に、前記Ａ／Ｄ変換器５４１から第２のディジタルベースバンド信号を入力する。信号品質推定部５５０は、前記第１及び第２のディジタルベースバンド信号を基に、ピーク抑圧部３に設定する閾値を決定し、その閾値をピーク抑圧部３に出力する。
【０１１４】
信号品質推定部５５０は、上述した実施例３の信号品質推定部（１１０、１３０）と同様な構成であり、ＢＥＲ、ＥＶＭまたは電力減衰量を推定し、その推定値を基に、ピーク抑圧部３の閾値を決定する。信号品質推定部５５０は、図９、１０または１２に示すアルゴリズムにより、前記閾値を決定する。
【０１１５】
［実施例５］
本実施例は、図１６の実施例４の構成に、ピーク抑圧信号の推定品質が所望品質を満たさない場合は、送信アンプの出力を停止する機能を追加したものである。
【０１１６】
図１７に、本実施例の回路構成を示す。同図において、図１６の構成要素と同一の構成要素には同じ符号を付与している。
本実施例は、図１６の構成において、送信アンプ５３０の後段に出力停止部５９０を設け、この出力停止部５９０を制御する信号品質推定部５７０を信号品質推定部５６０の代わり設けた構成となっている。信号品質推定部５７０は、図８の実施例３の信号品質推定部１１０と同様な機能を有し、ベースバンド信号生成部１から入力されるピーク抑圧前信号とＡ／Ｄ変換器５４１から入力されるピーク抑圧信号を比較する。そして、該ピーク抑圧信号の推定品質が所望品質を満たさない場合は、出力停止部５９０に出力停止信号を出力し、送信アンプ５３０の出力がアンテナ５６０に入力されるのを阻止させる。出力停止部５９０は、信号品質推定部５８０から出力停止信号が入力されている間は、送信アンプ５３０から入力されるピーク抑圧信号を遮断し、出力停止信号が入力されなくなると、該ピーク抑圧信号をアンテナ５６０に出力する。
【０１１７】
信号品質推定部５８０は、図９、図１０または図１２のフローチャートに示すアルゴリズムに従う処理を行い、上記機能を実行する。
［実施例６］
実施例６は、ＡＣＬＲ(Adjustment Channel Leakage Ratio)を用いて、ピーク抑圧部３に設定する閾値を決定する。ＡＣＬＲは、信号のスペクトラム特性を規定する場合によく用いられる。
【０１１８】
図１８は、実施例６の回路構成を示すブロック図である。同図において、図１６の構成要素と同一の構成要素には同じ符号を付与している。
実施例６と実施例４の構成上の相違は、信号品質推定部の構成のみである。実施例６の信号品質推定部５８０は、Ａ／Ｄ変換器５４１から入力する第２のアナログベースバンド信号（ピーク抑圧信号）を基にＡＣＬＲを計算し、そのＡＣＬＲの値を基に、閾値を決定する。この閾値決定のアルゴリズムは、図９、１０または１２に示すとおりであり、それらのフローチャートの「信号品質推定」の処理ステップで、信号品質としてＡＣＬＲを推定する。
【０１１９】
図１９は、信号品質推定部５８０内に設けられるＡＣＬＲ推定処理部の構成を示すブロック図である。
同図に示すＡＣＬＲ推定処理部６００は、ＦＦＴ計算部６１０、ＡＣＬＲ計算部６２０を備えている。ＡＣＬＲ計算部６２０は、信号帯域内電力積分部６２１、除算器６２２、干渉帯域電力積分部６２３及び乗算器６２４を備えている。
【０１２０】
ＦＦＴ計算部６１０は、図１８のＡ／Ｄ変換器５４１から出力される前記ピーク抑圧信号（ベースバンド帯域の信号）に高速フーリエ変換を施し、前記ピーク抑圧信号のスペクトラムを求める。ＦＦＴ計算部６１０の計算結果（スペクトラム）は、信号帯域内電力積算部６２１と干渉帯域電力積算部６２３に出力される。信号帯域内電力積算部６２１は、ピーク抑圧信号の信号帯域内の電力を積算し、その積算結果（信号帯域内電力）を除算器６２２に出力する。除算器６２２は、該信号帯域内電力の逆数を計算し、その逆数を乗算器６２４に出力する。干渉帯域電力積分部６２３は、ＦＦＴ計算部６１０の計算結果を入力し、それを基に、前記ピーク抑圧信号の干渉帯域電力を算出する。乗算器６２４は、除算器６２２の出力（信号帯域内電力の逆数）と干渉帯域電力積分部６２３の出力（干渉帯域電力）を乗算し、その乗算結果をＡＣＬＲ推定値として出力する。
【０１２１】
図２０は、ＦＦＴ計算部６１０の計算結果（スペクトラム）を示す図である。同図の横軸はピーク抑圧信号の周波数、縦軸は電力である。
ピーク抑圧信号の信号帯域内電力Ｐｓは、信号帯域幅Ｗｓに分布する電力スペクトルの積分値となる。また、干渉帯域電力Ｐｄは、干渉帯域幅Ｗｄに分布する電力スペクトルの積分値となる。なお、信号帯域幅Ｗｓは、前記ピーク抑圧信号の周波数ｆｓを中心とする所定の帯域幅である。また、干渉帯域幅Ｗｓは、隣接チャネルの周波数ｆｄ（＝ｆｓ＋ｋｆ０）を中心とする所定の帯域幅である。周波数ｆｓと周波数Ｆｄの差（離調）は、システムによって規定される。
【０１２２】
本実施例では、ＡＣＬＲ＝Ｐｄ／Ｐｓと定義し、ＡＣＬＲ計算部６２０はこのＡＣＬＲの値を計算する。すなわち、信号帯域内電力積分部６２１が、ＦＦＴ計算部６１０で計算されたスペクトラムを基に、信号帯域内電力積分部６２１が信号帯域内電力Ｐｓを算出する。そして、除算器６２２が１／Ｐｓを計算する。また、干渉帯域電力積分部６２３が、ＦＦＴ計算部６１０で計算されたスペクトラムを基に、干渉帯域電力Ｐｄを計算する。そして、乗算器６２４が、乗算器６２４と干渉帯域電力積分部６２３の計算結果を基に、ＡＣＬＲ（ＡＣＬＲ推定値）を算出する。
【０１２３】
［実施例７］
実施例７は、本発明をＯＦＤＭに代表されるようなマルチキャリア信号に適用したものである。マルチキャリア信号では、送信に複数のキャリアを使用するため、キャリア毎に所望の信号品質が異なることがある。例えば、ＯＦＤＭのキャリア（サブキャリア）を異なるユーザに割り当てるＯＦＤＭＡ(Orthogonal Frequency Division Multiple Access)方式では、ユーザ毎に変調方式が異なることがあり、ユーザ毎に許容されるピーク抑圧度も異なってくる。
【０１２４】
このような場合、キャリア毎に別々のピーク抑圧度を設定できれば最適であるが、信号のピーク成分の多くはマルチキャリア合成によって発生するため、その合成前の段階での抑圧は難しい。そこで、本実施例では、複数の所望品質を比較して、最も高い品質となるように、ピーク抑圧閾値を決定する。
【０１２５】
図２１は、実施例７のピーク抑圧閾値を決定する回路の構成を示すブロック図である。  
このピーク抑圧閾値決定回路７００は、最高品質選択部７１０と閾値決定部７２０を備える。
【０１２６】
最高品質選択部７１０は、ｎ個の所望品質情報（所望品質情報１、所望品質情報２、・・・、所望品質情報ｎ）を入力し、それらの中から最高の所望品質を選択する。そして、その最高所望品質を閾値決定部７２０に出力する。
【０１２７】
閾値決定部７２０の構成には、図１のピーク抑圧閾値制御部２、図３の品質情報推定部４０、図８の信号品質推定部１１０、図１１の閾値決定部１３０、図１６の信号品質推定部５５０、図１７の信号品質推定部５７０または図１８の信号品質推定部５８０を採用できる。
【０１２８】
｛最高品質選択部７１０の第１の構成例｝
所望品質情報１〜ｎとして、「品質を示す数値」が入力される場合の最高品質選択部７１０の構成例を説明する。この場合、最高品質選択部７１０は、図１のピーク抑圧閾値制御部２に類似した構成となる。
【０１２９】
図２２は、本例の最高品質選択部７１０が内部に備えるテーブルの構成を示す図である。
同図に示すテーブル７１１のレコードは、「Ｑ（ｎ）」、「変調方式」、「符号化率」の３項目で構成されている。Ｑ（ｎ）は前記所望品質情報１〜ｎに相当し、同一レコードに格納された「変調方式」と「符号化率」で変調された信号の品質を示す数値である。Ｑ（ｎ）の数値が大きいほど品質が高い。テーブル７１１は、ｎ＝７、すなわち、７個のレコードを格納する構成となっており、それらのレコードが、Ｑ（ｎ）の値の小さい順に格納されている。変調方式は、ベースバンド信号を生成する際の変調方式である。テーブル７１１には、ＱＰＳＫ，１６ＱＡＭ、６４ＱＡＭの３種類の変調方式が登録されており、エントリ１、２のレコードにＱＰＳＫが、エントリ３、４のレコードに１６ＱＡＭが、エントリ５〜７のレコードに６４ＱＡＭが登録されている。符号化率は、同一レコードに登録されている変調方式の符号化率の値である。例えば、３番目のレコードに登録されている変調方式「１６ＱＡＭ」の符号化率は１／２となっている。尚、このテーブル７１１では、レコードが、Ｑ（ｎ）の値が小さいほうから順に整列されて登録されているが、レコードの登録構成はこれに限定されるものではない。Ｑ（ｎ）の値がランダムとなるように、レコードが登録されていてもよい。すなわち、テーブルのレコード格納形態は自由である。
【０１３０】
図２３は、前記テーブル７１１を備える最高品質選択部７１０の処理を示すフローチャートである。
最高品質選択部７１０は、Ｎ個の品質情報Ｑ（ｎ）が入力されると、ＭａｘＱを“０”に初期設定する（Ｓ８１）。続いて、変数ｎを“１”に初期設定する（Ｓ８２）。次に、ＭａｘQ＜Ｑ（ｎ）であるか判断し（Ｓ８３）、ＭａｘQ＜Ｑ（ｎ）であればステップS８４に移行し、ＭａｘＱ＜Ｑ（ｎ）でなければステップＳ８５に移行する。
【０１３１】
ステップＳ８４では、ＭａｘＱにＱ（ｎ）を代入する。そして、ステップＳ８５に移行する。ステップＳ８５では、ｎの値を１つだけインクリメントする。次に、ｎ＞Ｎであるか判断する（Ｓ８６）。Ｎは、最高品質選択部７１０に入力する品質情報Ｑ（ｎ）の個数である。ステップ８６において、ｎ＞Ｎでなければステップ８３に戻り、ｎ＞Ｎであればステップ８７に移行する。
【０１３２】
このようにして、ステップＳ８３〜Ｓ８６の処理を、入力された品質情報Ｑ（ｎ）の全てについて行い、それらの品質情報Ｑ（ｎ）の中で最も大きい数値を求める。そして、その数値をＭａｘＱに設定する。
【０１３３】
ステップＳ８６で、ｎ＞Ｎであると判断すると、ステップＳ８７に移行する。ステップＳ８７では、テーブル７１１を検索して、ＭａｘＱと同じ値のＱ（ｎ）が設定されているレコードに登録されている「変調方式」と「符号化率」を閾値決定部７２０に出力する。
【０１３４】
閾値決定部７２０は、例えば、図２のテーブル２１と同様な構成のテーブルを備え、そのテーブルを参照して、最高品質選択部７１０から入力する「変調方式」と「符号化率」に対応する閾値を求め、その閾値をピーク抑圧部３に出力する。
【０１３５】
｛最高品質選択部７１０の第２の構成例｝
所望品質情報１〜ｎとして、ＢＥＲ、ＥＶＭ、電力差、ＡＣＬＲなどが入力される場合の最高品質選択部７１０の構成例を説明する。
【０１３６】
図２４は、本構成の最高品質選択部７１０の動作を示すフローチャートである。本フローチャートの処理を開始する前に、最高品質選択部７１０には、品質情報情報Ｑ（ｎ）として、ＢＥＲ、ＥＶＭ、電力差、またはＡＣＬＲが入力されているものとする。ここで、ｎ＝１〜Ｎである。
【０１３７】
最高品質選択部７１０は、ＭｉｎＱに初期値として∞（無限大）を設定する（Ｓ９１）。続いて、変数ｎに初期値として“１”を設定する（Ｓ９２）。
次に、ＭｉｎＱ＞Ｑ（ｎ）であるか判断し（Ｓ９３）、ＭｉｎＱ＞Ｑ（ｎ）であればステップＳ９４に移行し、ＭｉｎＱ＞Ｑ（ｎ）でなければステップＳ９５に移行する
ステップ９４では、ＭｉｎＱにＱ（ｎ）の値を代入し、その後、ステップＳ９５に移行する。ステップＳ９５では、ｎの値を１つだけインクリメントする。次に、ｎ＞Ｎであるか判断し（Ｓ９６）、ｎ＞Ｎでなければステップ９３に戻る。
【０１３８】
このようにして、ステップＳ９６において、ｎ＞Ｎであると判断するまで、ステップＳ９３〜Ｓ９６の処理を繰り返す。そして、ステップＳ９６で、ｎ＞Ｎであると判断すると、ＭｉｎＱを閾値決定部７２０に出力する（Ｓ９７）。
【０１３９】
ステップＳ９３〜Ｓ９６の繰り返し処理により、最終的に、Ｑ（１）〜Ｑ（Ｎ）の中での最大の値、つまり、最高品質の値がＭｉｎＱに設定される。そして、ステップＳ９７で、そのＭｉｎＱが閾値決定部７２０に出力される。
【０１４０】
［変形例］
本発明の構成は、上述した実施例に限定されるものではない。信号品質情報も、上記のものに限定されるものではない。
【０１４１】
（付記１）
送信アンプの入力信号のピーク電力を抑圧するピーク抑圧部のピーク抑圧度を制御するピーク抑圧制御装置であって、
前記ピーク抑圧部が抑圧する送信信号の所望品質情報に応じて、前記ピーク抑圧手段のピーク抑圧度を変更するピーク抑圧度制御手段を、
備えることを特徴とするピーク抑圧制御装置。
（付記２）
付記１記載のピーク抑圧度制御装置であって、
前記所望品質情報は、前記送信信号を生成する手段から通知されることを特徴とする。
（付記３）
付記１または２記載のピーク抑圧制御装置であって、
前記ピーク抑圧度制御手段は、
前記所望品質情報とそれに対応するピーク抑圧度が登録されている記憶手段と、
前記送信信号の所望品質情報を基に前記記憶手段を検索して、前記所望品質情報に対応するピーク抑圧度を求め、そのピーク抑圧度を前記ピーク抑圧部のピーク抑圧度に決定するピーク抑圧度決定手段と、
を備えることを特徴とする。
（付記４）
付記１、２または３記載のピーク抑圧度制御装置であって、
前記ピーク抑圧部がピーク抑圧する送信信号は、ベースバンド信号であることを特徴とする。
（付記５）
付記４記載のピーク抑圧度制御装置であって、
前記所望品質情報は、前記ベースバンド信号の変調方式と符号化率であることを特徴とする。
（付記６）
付記１記載のピーク抑圧度制御装置であって、
前記送信信号から前記所望品質を推定し、その推定した所望品質を基に、前記ピーク抑圧度を決定する品質情報推定手段を備えることを特徴とする。
（付記７）
付記６記載のピーク抑圧度制御装置であって、
前記ピーク抑圧部が抑圧する送信信号はベースバンド信号であることを特徴とする。
（付記８）
付記７記載の送信アンプのピーク抑圧度制御装置であって、
前記品質情報推定手段は、
前記ベースバンド信号を、品質情報を推定可能な信号に復調する復調手段と、
該復調手段によって得られた復調信号を基に、その復調信号の所望品質を推定する推定手段と、
を備えることを特徴とする。
（付記９）
付記８記載の送信アンプのピーク抑圧度制御装置であって、
前記推定手段は、
前記復調信号のコンスタレーションを求めるコンスタレーション取得手段と、
該コンスタレーション取得手段によって得られたコンスタレーションを基に、前記ベースバンド信号の変調方式を推定する変調方式推定手段と、
該変調方式推定手段によって得られた変調方式を基に、前記ピーク抑圧手段に設定すべきピーク抑圧度を決定するピーク抑圧度決定手段と、
を備えることを特徴とする。
（付記１０）
送信アンプの入力信号のピーク電力を抑圧するピーク抑圧部のピーク抑圧度を制御するピーク抑圧度装置であって、
前記ピーク抑圧部が抑圧する送信信号と、前記ピーク抑圧部が前記送信信号に対してピーク抑圧処理を施したピーク抑圧信号とを基に、該ピーク抑圧信号の信号品質を推定し、該信号品質が所定品質以上となるように、前記ピーク抑圧手段に設定するピーク抑圧度を決定する信号品質推定手段を、
備えることを特徴とする。
（付記１１）
付記１０記載のピーク抑圧度制御装置であって、
さらに、
前記信号品質推定手段から出力停止信号が入力されている間は、前記ピーク抑圧手段から出力される前記ピーク抑圧信号の外部出力を停止する出力停止手段を備え、
前記信号品質推定手段は、前記ピーク抑圧信号の信号品質が所望品質に満たないと判断しているときは、前記出力停止手段に前記出力停止信号を出力することを特徴とする。
（付記１２）
付記１０記載のピーク抑圧度制御装置であって、
前記信号品質推定手段は、前記ピーク抑圧信号の信号品質が、常に、所望品質以上となるように、前記ピーク抑圧度を制御することを特徴とする。
（付記１３）
付記１２記載のピーク抑圧度制御装置であって、
前記信号品質推定手段は、前記ピーク抑圧度が最小となるように設定することを特徴とする。
（付記１４）
付記１０記載のピーク抑圧度制御装置であって、
前記ピーク抑圧信号の信号品質は、受信品質劣化に関する品質であることを特徴とする。
（付記１５）
付記１４記載のピーク抑圧度制御装置であって、
前記信号品質は、ＢＥＲ(Bit Error Rate)であることを特徴とする。
（付記１６）
付記１５記載のピーク抑圧度制御装置であって、
前記信号品質推定手段は、
前記送信信号を復調する第１の復調手段と、
前記ピーク抑圧信号を復調する第２の復調手段と、
前記第１の復調手段によって復調された信号を復号する第１の復号手段と、
前記第２の復調手段によって復調された信号を復号する第２の復号手段と、
前記第１の復号手段によって復号された第１の復号信号と前記第２の復号手段によって復号された第２の復号信号を基に、前記ＢＥＲを求めるＢＥＲ算出手段と、
を備えることを特徴とする。
（付記１７）
付記１４記載のピーク抑圧度制御装置であって、
前記信号品質は、ＥＶＭ(Error  Vector  Magnitude)であることを特徴とする。
（付記１８）
付記１７記載の送信アンプのピーク抑圧度制御装置であって、
前記信号品質推定手段は、
前記送信信号を復調する第１の復調手段と、
前記ピーク抑圧信号を復調する第２の復調手段と、
前記第１の復調手段によって復調された第１の復調信号と前記第２の復調手段によって復調された第２の復調信号を基に、前記ＥＶＭを求めるＥＶＭ算出手段と、
を備えることを特徴とする。
（付記１９）
付記１４記載のピーク抑圧度制御装置であって、
前記信号品質は、前記ピーク抑圧手段のピーク抑圧による信号の電力減衰量であることを特徴とする。
（付記２０）
付記１９記載のピーク抑圧度制御装置であって、
前記信号品質推定手段は、
前記送信信号の電力を計算する第１の電力計算手段と、
前記ピーク抑圧信号の電力を計算する第２の電力計算手段と、
前記第１の電力計算手段によって計算された第１の電力と前記第２の電力計算手段によって計算された第２の電力を基に、前記信号の電力減衰量を求める電力減衰量算出手段と、
を備えることを特徴とする。
（付記２１）
付記１記載のピーク抑圧度制御装置であって、
前記送信信号と、前記送信アンプから出力される前記ピーク抑圧信号のキャリア変調信号を復調した信号とを基に、前記送信アンプから出力される信号の信号品質を推定する信号品質推定手段を、
備えることを特徴とする。
（付記２２）
付記２１記載のピーク抑圧度制御装置であって、
さらに、
前記信号品質推定手段から出力停止信号が入力されている間は、前記ピーク抑圧手段から出力される前記ピーク抑圧信号の外部出力を停止する出力停止手段を備え、
前記信号品質推定手段は、前記ピーク抑圧信号の信号品質が所望品質に満たないと判断しているときは、前記出力停止手段に前記出力停止信号を出力することを特徴とする。
（付記２３）
付記２１記載のピーク抑圧度制御装置であって、
前記信号品質推定手段は、前記ピーク抑圧信号の信号品質が、常に、所望品質以上となるように、前記ピーク抑圧度を制御することを特徴とする。
（付記２４）
付記２３記載のピーク抑圧度制御装置であって、
前記信号品質推定手段は、前記ピーク抑圧度が最小となるように設定することを特徴とする。
（付記２５）
付記１４記載のピーク抑圧度制御装置であって、
前記信号品質は、ＡＣＬＲ(Adjacent Channel Leakage Ratio)であることを特徴とする。
（付記２６）
付記２５記載のピーク抑圧度制御装置であって
前記信号品質推定手段は、
前記ピーク抑圧信号をＦＦＴ(First Fourier Transform)処理するＦＦＴ処理手段と、
該ＦＦＦＴ処理手段のよって得られた前記ピーク抑圧信号のスペクトラムを基に、ＡＣＬＲを算出するＡＣＬＲ計算手段と、
を備えることを特徴とする。
（付記２７）
付記２６記載のピーク抑圧度制御装置であって、
前記ＡＣＬＲ計算手段は、
前記スペクトラムを基に、前記ピーク抑圧信号の信号帯域内電力を算出する信号帯域内電力計算手段と、
前記スペクトラムを基に、前記ピーク抑圧信号に干渉帯域電力を算出する干渉帯域電力計算手段と、
前記信号帯域内電力計算手段によって算出された前記信号帯域内電力と、前記干渉帯域電力計算手段によって算出された干渉帯域電力とを基に、ＡＣＬＲを算出する手段と、
を備えることを特徴とする。
（付記２８）
付記１記載のピーク抑圧度制御装置であって、
前記ピーク抑圧部が抑圧する送信信号はマルチキャリア信号であり、
前記ピーク抑圧度制御手段は、
該マルチキャリア信号の各キャリア信号において、最も所望品質の厳しい所望品質が要求されている信号に合わせて、前記ピーク抑圧度を変更することを特徴とする。
（付記２９）
付記２８記載のピーク抑圧度制御装置であって、
前記ピーク抑圧度制御手段は、
前記マルチキャリア信号の各キャリア信号の所望品質情報に設定されている所望品質の中で最も高い品質を選択する最高品種選択手段と、
該最高品質選択手段によって選択された最高品質を基に、前記ピーク抑圧度を決定するピーク抑圧度決定手段と、
を備えることを特徴とする。
（付記３０）
付記２８記載のピーク抑圧度制御装置であって、
前記所望品質情報は、変調方式と符号化率であることを特徴とする。
（付記３１）
付記２８記載のピーク抑圧度制御装置であって、
前記所望品質情報は、前記ピーク抑圧信号の受信品質劣化に関する情報であることを特徴とする。
（付記３２）
付記３１記載のピーク抑圧度制御装置であって、
前記所望品質情報は、ＢＥＲであることを特徴とする。
（付記３３）
付記３１記載のピーク抑圧度制御装置であって、
前記所望品質情報は、ＥＶＭであることを特徴とする。
（付記３４）
付記３１記載のピーク抑圧度制御装置であって、
前記所望品質情報は、前記ピーク抑圧手段のピーク抑圧による信号の電力減衰量であることを特徴とする。
（付記３５）
付記３１記載のピーク抑圧度制御装置であって、
前記所望品質情報は、ＡＣＬＲであることを特徴とする。
【図面の簡単な説明】
【０１４２】
【図１】本発明の実施例１の構成を示すブロック図である。
【図２】図１のピーク抑圧閾値制御部２が備える変換テーブル２１の構成を示す図である。
【図３】本発明の実施例２の構成を示すブロック図である。
【図４】図３の信号復調部の構成例を示すブロック図である。
【図５】各種信号変調方式の信号のコンスタレーションを示す図である。
【図６】図３の品質情報推定部が、入力信号の変調方式を推定する処理を示すフローチャートである。
【図７】前記品質情報推定部が、入力信号の変調方式を推定するために使用するテーブルの構成図である。
【図８】本発明の実施例３の第１の構成を示すブロック図である。
【図９】図8の信号品質推定部の第１の動作を示すフローチャートである。
【図１０】図８の信号品質推定部の第２の動作を示すフローチャートである。
【図１１】前記実施例３の第２の構成を示すブロック図である。
【図１２】図１１の信号品質推定部の動作を示すフローチャートである。
【図１３】図８または図１１の信号品質推定部内に設けられるＢＥＲ算出部の回路構成を示すブロック図である。
【図１４】図８または図１１の信号品質推定部内に設けられるＥＶＭ推定値算出部の回路構成を示すブロック図である。
【図１５】図８または図１１の信号品質推定部内に設けられる電力差算出部の回路構成を示すブロック図である。
【図１６】本発明の実施例４の回路構成を示すブロック図である。
【図１７】本発明の実施例５の回路構成を示すブロック図である。
【図１８】本発明の実施例６の回路構成を示すブロック図である。
【図１９】図１８の信号品質推定部内に設けられるＡＣＬＲ推定処理部の構成を示すブロック図である。
【図２０】図１９のＦＦＴ計算部の計算結果（スペクトラム）を示す図である。
【図２１】本発明の実施例７のピーク抑圧閾値を決定する回路の構成を示すブロック図である。
【図２２】図２１の最高品質選択部（第１の構成）が内部に備えるテーブルの構成を示す図である。
【図２３】図２２のテーブルを備える第１構成の最高品質選択部の処理を示すフローチャートである。
【図２４】図２１の最高品質選択部（第２の構成）の動作を示すフローチャートである。
【図２５】送信アンプの入出力特性と信号のピーク関係を示す図である。
【図２６】ピーク抑圧方式の回路構成を示す図である。
【図２７】クリップ方式のピーク抑圧部の回路構成を示す図である。
【図２８】窓関数方式のピーク抑圧部の回路構成を示す図である。
【図２９】元の送信信号、クリップ方式ピーク抑圧回路の出力信号、及び窓関数方式ピーク抑圧回路の出力信号を示す図である。
【図３０】元の送信信号Ｓ（ｔ）にクリップ方式と窓関数方式を適用した場合のスペクトラムを示す図である。
【図３１】ＩＥＥＥ８０２−１６ｅ(WiMAX)規格で規定されたＡＭＣにおけるＥＶＭの定義表を示す図である。
【符号の説明】
【０１４３】
１      ベースバンド信号生成部
２      ピーク抑圧閾値制御部
３      ピーク抑圧部
２１      閾値決定用のテーブル
３０      信号復調部
３１      ＧＩ除去部
３２      Ｓ／Ｐ変換器
３３      ＦＦＴ計算部
３４      Ｐ／Ｓ変換部
１１０、１３０      信号品質推定部
１２０      出力停止部
２０１、２０２      信号復調部
２１１、２１２      復号部
２２０      比較部
２３０      ＢＥＲ計算部
３０１、３０２      信号復調部
３１０      ＥＶＭ計算部
４０１、４０２      電力計算部
４１０      差分器
４２０      電力差積算部
５０１      Ｄ／Ａ変換器
５１１、５１２      ミキサ
５２１、５２２      局部発信器
５３０      送信アンプ
５４１      Ａ／Ｄ変換器
５５０、５７０、５８０      信号品質推定部
５６０      アンテナ
５９０      出力停止部
６１０      ＦＦＴ計算部
６２１      信号帯域内電力積分部
６２２      除算器
６２３      干渉帯域電力積分部
６２４      乗算器
７００      ピーク抑圧閾値決定回路
７１０      最高品質選択部
７１１      テーブル
７２０      閾値決定部
【図１】
2008022230.tif 000004
【図２】
2008022230.tif 000005
【図３】
2008022230.tif 000006
【図４】
2008022230.tif 000007
【図５】
2008022230.tif 000008
【図６】
2008022230.tif 000009
【図７】
2008022230.tif 000010
【図８】
2008022230.tif 000011
【図９】
2008022230.tif 000012
【図１０】
2008022230.tif 000013
【図１１】
2008022230.tif 000014
【図１２】
2008022230.tif 000015
【図１３】
2008022230.tif 000016
【図１４】
2008022230.tif 000017
【図１５】
2008022230.tif 000018
【図１６】
2008022230.tif 000019
【図１７】
2008022230.tif 000020
【図１８】
2008022230.tif 000021
【図１９】
2008022230.tif 000022
【図２１】
2008022230.tif 000023
【図２２】
2008022230.tif 000024
【図２３】
2008022230.tif 000025
【図２４】
2008022230.tif 000026
【図２７】
2008022230.tif 000027
【図２８】
2008022230.tif 000028
【図２９】
2008022230.tif 000029
【図３１】
2008022230.tif 000030
【図２０】
2008022230.tif 000031
【図２５】
2008022230.tif 000032
【図２６】
2008022230.tif 000033
【図３０】
2008022230.tif 000034